【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】  印刷物の見積りを依頼するクライアントと、送料データが格納されている第１サーバと、印刷装置を制御する第２サーバとがインターネットを介して接続されている印刷システムであって、
第２サーバは、
クライアントから印刷ファイルおよび印刷属性記述ファイルを取得する手段、
第１サーバから送料データを取得する手段、
印刷属性記述ファイル、あるいは、印刷属性記述ファイルと印刷ファイルとに基づいて、検索キーを算出する手段、
検索キーを用いて送料データを検索し、送料を抽出する手段、
送料を含んだ見積りを作成する手段、
見積りをクライアントに通知する手段、および、
クライアントから通知される印刷依頼に従って、印刷装置を制御して、印刷ファイルを印刷させる手段を有する
ことを特徴とする印刷システム。
【請求項２】  印刷物の見積りを依頼するクライアントからインターネットを介して印刷属性記述ファイルを取得する手段、
送料データが格納されているサーバからインターネットを介して送料データを取得する手段、
印刷属性記述ファイルに基づいて、検索キーを算出する手段、
検索キーを用いて送料データを検索し、送料を抽出する手段、
送料を含んだ見積りを作成する手段、および、
見積りをクライアントに通知する手段
を有することを特徴とする見積り装置。
【請求項３】  前記検索キーは、印刷物の重量、サイズ、運送距離の少なくとも１つを含んでいることを特徴とする請求項２に記載の見積り装置。
【請求項４】  前記印刷属性記述ファイルは、印刷ページ数データ、印刷部数データ、用紙サイズデータ、および、用紙種類データを含んでおり、
前記印刷物の重量は、印刷ページ数データに印刷部数データを乗じて算出される総枚数と、用紙サイズデータと用紙種類データとによって特定される用紙１枚当たりの重量とに基づいて算出される
ことを特徴とする請求項３に記載の見積り装置。
【請求項５】  前記印刷属性記述ファイルは、印刷ページ数データ、印刷部数データ、用紙サイズデータ、および、用紙種類データを含んでおり、
前記印刷物のサイズは、印刷ページ数データに印刷部数データを乗じて算出される総枚数と、用紙種類データによって特定される用紙１枚当たりの厚みと、用紙サイズデータとに基づいて算出される
ことを特徴とする請求項３に記載の見積り装置。
【請求項６】  前記印刷属性記述ファイルは、宛先の住所データを含んでおり、
前記印刷物の運送距離は、宛先の住所データに基づいて算出される
ことを特徴とする請求項３に記載の見積り装置。
【請求項７】  送料データが格納されているサーバが複数登録されているテーブル手段と、
登録されているサーバから取得される送料データから抽出される送料の中から最小値を有する送料を、見積りに含まれる送料として選択する手段と
をさらに有することを特徴とする請求項２に記載の見積り装置。
【請求項８】  印刷物の見積りを依頼するクライアントから印刷属性記述ファイルを取得するステップ、
送料データが格納されているサーバから送料データを取得するステップ、
印刷属性記述ファイルに基づいて、検索キーを算出するステップ、
検索キーを用いて送料データを検索し、送料を抽出するステップ、
送料を含んだ見積りを作成するステップ、および、
見積りをクライアントに通知するステップ
を有することを特徴とする見積り方法。
【請求項９】  印刷物の見積りを依頼するクライアントから印刷属性記述ファイルを取得する手順、
送料データが格納されているサーバから送料データを取得する手順、
印刷属性記述ファイルに基づいて、検索キーを算出する手順、
検索キーを用いて送料データを検索し、送料を抽出する手順、
送料を含んだ見積りを作成する手順、および、
見積りをクライアントに通知する手順
をコンピュータに実行させるための見積りプログラム。
【請求項１０】  請求項９に記載の見積りプログラムを記録したコンピュータ読み取り可能な記録媒体。
【請求項１１】 前記印刷属性記述ファイルは、印刷ページ数データ、印刷部数データ、用紙面データ、用紙サイズデータ、および、用紙種類データを含んでおり、
前記見積り装置は、
クライアントから印刷ファイルを取得する手段、
印刷ファイルのデータ量を用紙面データと用紙サイズデータとから算出される用紙１枚当たりのデータ量で除することによって１部当たりの用紙枚数を算出する手段、
印刷ページ数データと用紙枚数とを比較する手段、
印刷ページ数データと用紙枚数とが相違している場合、見積りを再作成する手段、および、
再作成された見積りをクライアントに通知する手段
をさらに有することを特徴とする請求項２に記載の見積り装置。
【請求項１２】 印刷物の見積りを依頼するクライアントから印刷ファイルおよび印刷属性記述ファイルを取得する手段、
送料データが格納されているサーバから送料データを取得する手段、
印刷属性記述ファイルと印刷ファイルとに基づいて、検索キーを算出する手段、
検索キーを用いて送料データを検索し、送料を抽出する手段、
送料を含んだ見積りを作成する手段、および、
見積りをクライアントに通知する手段
を有することを特徴とする見積り装置。
【請求項１３】 前記検索キーは、印刷物の重量、サイズ、運送距離の少なくとも１つを含んでいることを特徴とする請求項１２に記載の見積り装置。
【請求項１４】 前記印刷属性記述ファイルは、印刷部数データ、用紙面データ、用紙サイズデータ、および、用紙種類データを含んでおり、
前記印刷物の重量は、印刷ファイルのデータ量を用紙面データと用紙サイズデータとから算出される用紙１枚当たりのデータ量で除することによって算出される１部当たりの用紙枚数に、印刷部数データを乗じて算出される総枚数と、用紙サイズデータと用紙種類データとによって特定される用紙１枚当たりの重量とに基づいて算出される
ことを特徴とする請求項１３に記載の見積り装置。
【請求項１５】 前記印刷属性記述ファイルは、印刷部数データ、用紙面データ、用紙サイズデータ、および、用紙種類データを含んでおり、
前記印刷物のサイズは、印刷ファイルのデータ量を用紙面データと用紙サイズデータとから算出される用紙１枚当たりのデータ量で除することによって算出される１部当たりの用紙枚数に、印刷部数データを乗じて算出される総枚数と、用紙種類データによって特定される用紙１枚当たりの厚みと、用紙サイズデータとに基づいて算出される
ことを特徴とする請求項１３に記載の見積り装置。
【請求項１６】 前記印刷属性記述ファイルは、宛先の住所データを含んでおり、
前記印刷物の運送距離は、宛先の住所データに基づいて算出される
ことを特徴とする請求項１３に記載の見積り装置。
【請求項１７】 送料データが格納されているサーバが複数登録されているテーブル手段と、
登録されているサーバから取得される送料データから抽出される送料の中から最小値を有する送料を、見積りに含まれる送料として選択する手段と
をさらに有することを特徴とする請求項１２に記載の見積り装置。
【請求項１８】 印刷物の見積りを依頼するクライアントから印刷ファイルおよび印刷属性記述ファイルを取得するステップ、
送料データが格納されているサーバから送料データを取得するステップ、
印刷属性記述ファイルと印刷ファイルとに基づいて、検索キーを算出するステップ、
検索キーを用いて送料データを検索し、送料を抽出するステップ、
送料を含んだ見積りを作成するステップ、および、
見積りをクライアントに通知するステップ
を有することを特徴とする見積り方法。
【請求項１９】 印刷物の見積りを依頼するクライアントから印刷ファイルおよび印刷属性記述ファイルを取得する手順、
送料データが格納されているサーバから送料データを取得する手順、
印刷属性記述ファイルと印刷ファイルとに基づいて、検索キーを算出する手順、
検索キーを用いて送料データを検索し、送料を抽出する手順、
送料を含んだ見積りを作成する手順、および、
見積りをクライアントに通知する手順
をコンピュータに実行させるための見積りプログラム。
【請求項２０】 請求項１９に記載の見積りプログラムを記録したコンピュータ読み取り可能な記録媒体。